(57)【要約】【課題】例えば、製造プロセスを煩雑化させることなく、機械的強度が高められていると共に、環境温度が変化した場合に生じる基板間ギャップのばらつきを低減する。【解決手段】スペーサ（１５１）は、スペーサ本体（１５１ａ）と、スペーサ本体（１５１ａ）に積層された強度保持膜（１５１ｂ）とから構成されており、液晶装置（１）が組み上げられた状態で配向膜（２２）に接し、ＴＦＴアレイ基板（１０）及び対向基板（２０）間の基板間ギャップを維持している。強度保持膜（１５１ｂ）は、スペーサ本体（１５１ａ）を覆うようにスペーサ本体（１５１ａ）の表面に形成されており、スペーサ本体（１５１ａ）より機械的強度が高い無機導電膜であるＩＴＯ膜で構成されている。したがって、スペーサ（１５１）は、スペーサ（１５１）がスペーサ本体（１５１ａ）のみで構成されている場合に比べて、その機械的強度が高められている。【選択図】図５
2010032848.tif 000002
【特許請求の範囲】
【請求項１】
基板と、
該基板上に対向するように配置された対向基板と、
前記基板及び前記対向基板間に挟持された電気光学層と、
前記基板及び前記対向基板間に配置されており、（ｉ）スペーサ本体、及び（ｉｉ）該
スペーサ本体より機械的強度が高い強度保持膜が相互に積層されてなるスペーサと
を備えたことを特徴とする電気光学装置。
【請求項２】
前記強度保持膜は、前記基板上又は前記対向基板上に形成された多層構造の一部を構成
する無機材料膜であること
を特徴とする請求項１に記載の電気光学装置。
【請求項３】
前記基板上の表示領域を構成する複数の画素部の夫々に形成された画素電極を備え、
前記無機材料膜は、前記画素電極と同層に形成された透明な無機導電膜であること
を特徴とする請求項２に記載の電気光学装置。
【請求項４】
前記基板上の表示領域を構成する複数の画素部の夫々に形成された画素電極を備え、
前記無機材料膜は、前記画素電極上に無機材料を蒸着させることによって形成された無
機配向膜であること
を特徴とする請求項２に記載の電気光学装置。
【請求項５】
前記スペーサ本体と、前記画素電極の下地膜となるべく形成されたポジ型の感光性絶縁
膜とは、相互に共通の材料で構成されていること
を特徴とする請求項３又は４に記載の電気光学装置。
【請求項６】
前記スペーサ本体は、前記画素電極の下地膜となるべく形成されたポジ型の感光性絶縁
膜の一部が、前記表示領域の一部を構成する非開口領域において前記基板から前記対向基
板に向かって突出するように、前記画素電極の下地膜となるべく形成されたポジ型の感光
性絶縁膜をパターニングすることによって形成された部分であること
を特徴とする請求項３から５の何れか一項に記載の電気光学装置。
【請求項７】
前記基板上の表示領域を構成する複数の画素部の夫々に形成された画素電極と、
前記画素電極に対向するように前記対向基板上に形成された対向電極とを備え、
前記無機材料膜は、前記対向電極と同層に形成された透明な無機導電膜であること
を特徴とする請求項２に記載の電気光学装置。
【請求項８】
前記基板上の表示領域を構成する複数の画素部の夫々に形成された画素電極と、
前記画素電極に対向するように前記対向基板上に形成された対向電極と備え、
前記無機材料膜は、前記対向電極を覆うように前記対向電極上に無機材料を蒸着させる
ことによって形成された無機配向膜であること
を特徴とする請求項２に記載の電気光学装置。
【請求項９】
前記スペーサ本体と、前記対向電極の下地膜となるべく形成されたポジ型の感光性絶縁
膜とは、相互に共通の材料で構成されていること
を特徴とする請求項７又は８に記載の電気光学装置。
【請求項１０】
前記スペーサ本体は、前記対向電極の下地膜となるべく形成されたポジ型の感光性絶縁
膜の一部が、前記表示領域の一部を構成する非開口領域において前記対向基板から前記基
板に向かって突出するように、前記対向電極の下地膜となるべく形成されたポジ型の感光
性絶縁膜をパターニングすることによって形成された部分であること
を特徴とする請求項７から９の何れか一項に記載の電気光学装置。
【請求項１１】
請求項１から１０の何れか一項に記載の電気光学装置を具備してなること
を特徴とする電子機器。
【発明の詳細な説明】
【技術分野】
【０００１】
本発明は、例えば、タッチキー機能を有する直視型の液晶装置等の電気光学装置及びそ
のような電気光学装置を具備してなる携帯端末装置等の電子機器の技術分野に関する。
【背景技術】
【０００２】
この種の電気光学装置の一例である液晶装置では、液晶層を挟持するＴＦＴアレイ基板
及び対向基板間の間隔（所謂、基板間ギャップ）を一定に維持するためにこれら基板間に
スペーサとしてのビーズが散布される。このようなビーズによれば、液晶装置が表示する
画像のコントラストの低下を招き、液晶装置の表示性能を低下させてしまう場合がある。
特に、ＴＦＴアレイ基板の基板面に沿って発生する横電界によって液晶の配向制御を行な
う横電界方式の液晶装置では、コントラスト低下が顕著に発生する。このようなコントラ
スト低下を抑制するために、ＴＦＴ等の素子が形成されたＴＦＴアレイ基板上、或いはカ
ラーフィルタ等が形成された対向基板上において実質的な画像表示に寄与しない領域、即
ち画像を表示する領域のうち光源光を透過させない非開口領域に配置された柱状のスペー
サによって、基板間ギャップを維持する液晶装置が知られている。柱状のスペーサは、例
えばアクリル材料或いはポリイミド材料等のポジ型の感光材料を露光するプロセスを含む
フォトリソグラフィ技術を用いて形成される（例えば、特許文献１乃至４参照。）。また
、特許文献５は、一対の基板を相互に接着するシール部に埋め込まれ、且つ高い剛性率を
有するスペーサを備えた液晶装置を開示している。
【０００３】
また、この種の液晶装置では、相互に高さが異なる複数のスペーサを、液晶層を挟持す
るＴＦＴアレイ基板及び対向基板等の一対の基板間に形成し、一対の基板間の基板間ギャ
ップを維持する技術が用いられる場合もある。相互に高さが異なる複数のスペーサによれ
ば、液晶装置が使用される際の環境温度の変化に起因して生じる基板間ギャップにばらつ
きがあった場合でも、基板間ギャップを液晶装置全体で均一に維持することができ、表示
性能の低下及び後述するタッチキー機能の低下を抑制できる。環境温度の変化に対する表
示性能の経時的な変化は、例えば、液晶装置の環境温度を常温から低温に変化させた状態
で液晶装置の表示性能の変化を評価する低温衝撃試験で試験される。
【０００４】
一方、この種の液晶装置では、例えば、指等の入力手段が表示面を押圧することによっ
て生じるＴＦＴアレイ基板及び対向基板間の静電容量の変化が検知されることによって、
指等の入力手段が液晶装置の表示面を押圧したことを検知し、各種情報の入力が可能なタ
ッチキー機能を有するタッチパネルが知られている。表示面が指等で押圧された際におけ
るタッチパネルの機械的強度は、表示面が押された際に生じる表示性能の変化を試験する
押し圧試験等で評価される。
【０００５】
【特許文献１】特開平６−１７５１３３号公報
【特許文献２】特開平１０−８２９０９号公報
【特許文献３】特開２００６−２７６４９６号公報
【特許文献４】特開２００７−５７７４４号公報
【特許文献５】特開２００２−３３３６３０号公報
【発明の開示】
【発明が解決しようとする課題】
【０００６】
しかしながら、例えば１０μｍ以下のサイズを有するスペーサを精度良く形成すること
を目的としてポジ型の感光材料を用いた場合、スペーサの機械的強度が十分に得られず、
表示面を押圧する指等の指示手段から受ける押圧力、或いは温度変化によって基板間に作
用する力によって、基板間ギャップを装置全体で均一に維持することが困難になる問題点
がある。このような問題点は、特に、画像の表示性能の向上を目的として小さいサイズの
スペーサを形成する際に、より一層顕著になる。
【０００７】
よって、本発明は上記問題点等に鑑みてなされたものであり、例えば、指等の指示手段
が表示面を押す押圧力、或いは、環境温度の変化に応じて基板間に力が作用した場合でも
基板間ギャップを維持でき、且つそのばらつきを低減可能な液晶装置等の電気光学装置及
びそのような電気光学装置を具備してなる携帯端末装置等の電子機器を提供することを課
題とする。
【課題を解決するための手段】
【０００８】
本発明に係る電気光学装置は上記課題を解決するために、基板と、該基板上に対向する
ように配置された対向基板と、前記基板及び前記対向基板間に挟持された電気光学層と、
前記基板及び前記対向基板間に配置されており、（ｉ）スペーサ本体、及び（ｉｉ）該ス
ペーサ本体より機械的強度が高い強度保持膜が相互に積層されてなるスペーサとを備えて
いる。
【０００９】
本発明に係る電気光学装置によれば、基板は、例えば、画素スイッチング用ＴＦＴ等の
半導体素子が透明基板上に形成されたＴＦＴアレイ基板であり、対向基板は、透明基板に
カラーフィルタ等が形成されてなる。
【００１０】
スペーサは、例えば、感光性アクリル樹脂等の感光性材料からなるスペーサ本体と、ス
ペーサ本体より機械的強度が高い強度保持膜とが相互に積層された構成を有しているため
、スペーサがスペーサ本体のみで構成されている場合に比べて、その機械的強度が高めら
れている。尚、スペーサ本体及び強度保持膜が互いに積層されていればスペーサの機械的
強度が高められるため、強度保持膜は、スペーサ本体から見て基板側に形成されていても
よいし、対向基板側に形成されていてもよい。
【００１１】
したがって、本発明に係る電気光学装置によれば、例えば、当該電気光学装置が画像を
表示する表示面を指等の指示手段が押圧した場合、或いは温度変化によって基板及び対向
基板間に力が作用した場合でも、スペーサは、当該電気光学装置全体において、基板及び
対向基板間の基板間ギャップを維持することが可能である。よって、本発明に係る電気光
学装置によれば、基板間ギャップが装置全体で均一に維持されているため、基板間ギャッ
プの変化で生じる画質の低下を招くことなく、高品位の画像を表示可能である。
【００１２】
本発明に係る電気光学装置の一の態様では、前記強度保持膜は、前記基板上又は前記対
向基板上に形成された多層構造の一部を構成する無機材料膜であってもよい。
【００１３】
この態様によれば、多層構造と並行して強度保持膜を形成でき、当該電気光学装置を製
造する製造プロセスを煩雑化させることなく強度保持膜を形成できる。このような無機材
料膜は、例えば、半導体装置における層間絶縁膜として用いられるＳｉＮ或いはＳｉＯ２
等の絶縁膜である。
【００１４】
本発明に係る電気光学装置の他の態様では、前記基板上の表示領域を構成する複数の画
素部の夫々に形成された画素電極を備え、前記無機材料膜は、前記画素電極と同層に形成
された透明な無機導電膜であってもよい。
【００１５】
この態様によれば、無機材料膜が、ＩＴＯ等の透明な無機導電膜であるため、当該電気
光学装置の構成部分として作り込まれる部分と並行して無機材料膜を形成でき、当該電気
光学装置を製造する製造プロセスを煩雑化させることなく強度保持膜を形成できる。
【００１６】
本発明に係る電気光学装置の他の態様では、前記基板上の表示領域を構成する複数の画
素部の夫々に形成された画素電極を備え、前記無機材料膜は、前記画素電極上に無機材料
を蒸着させることによって形成された無機配向膜であってもよい。
【００１７】
この態様によれば、無機材料膜は、例えば、基板の基板面に対して斜め方向からＳｉＯ
又はＳｉＯ２等の無機材料が蒸着されてなる無機配向膜である。このような無機配向膜は
、感光性アクリル樹脂等の感光性材料に比べて機械的強度が相対的に高いため、スペーサ
の機械的強度をスペーサ本体のみでスペーサが構成されている場合に比べて高めることが
可能である。加えて、電気光学装置の一部を構成する無機配向膜を形成する工程と並行し
て無機材料膜を形成可能であるため、電気光学装置の製造プロセスが煩雑化することを抑
制しつつ、電気光学装置における基板間ギャップを維持することが可能である。
【００１８】
本発明に係る電気光学装置の他の態様では、前記スペーサ本体と、前記画素電極の下地
膜となるべく形成されたポジ型の感光性絶縁膜とは、相互に共通の材料で構成されていて
もよい。
【００１９】
この態様によれば、電気光学装置の製造プロセスの煩雑化、設計変更、及び材料コスト
の増大を極力抑制できる。
【００２０】
本発明に係る電気光学装置の他の態様では、前記スペーサ本体は、前記画素電極の下地
膜となるべく形成されたポジ型の感光性絶縁膜の一部が、前記表示領域の一部を構成する
非開口領域において前記基板から前記対向基板に向かって突出するように、前記画素電極
の下地膜となるべく形成されたポジ型の感光性絶縁膜をパターニングすることによって形
成された部分であってもよい。
【００２１】
この態様によれば、基板上で画素スイッチング用ＴＦＴ等の半導体素子、及び配線が形
成され、光が透過しない非開口領域にスペーサが形成されているため、スペーサによって
表示光が遮光されることがない。したがって、当該電気光学装置が画像を表示する表示性
能がスペーサによって低下することがない。加えて、スペーサ本体が、下地膜となるべく
形成された感光性絶縁膜の一部から構成されているため、電気光学装置の製造プロセスが
煩雑化することを抑制できる。
【００２２】
本発明に係る電気光学装置の他の態様では、前記基板上の表示領域を構成する複数の画
素部の夫々に形成された画素電極と、前記画素電極に対向するように前記対向基板上に形
成された対向電極とを備え、前記無機材料膜は、前記対向電極と同層に形成された透明な
無機導電膜であってもよい。
【００２３】
この態様によれば、ＩＴＯ等の無機導電材料からなる対向電極と並行して、無機材料膜
を形成できるため、電気光学装置の製造プロセスが煩雑化することを抑制できる。
【００２４】
本発明に係る電気光学装置の他の態様では、前記基板上の表示領域を構成する複数の画
素部の夫々に形成された画素電極と、前記画素電極に対向するように前記対向基板上に形
成された対向電極と備え、前記無機材料膜は、前記対向電極を覆うように前記対向電極上
に無機材料を蒸着させることによって形成された無機配向膜であってもよい。
【００２５】
この態様によれば、前記無機材料膜は、前記対向電極を覆うように対向基板の基板面に
対して斜め方向からＳｉＯ又はＳｉＯ２等の無機材料が蒸着されてなる無機配向膜である
ため、無機材料膜を無機配向膜と並行して形成可能であり、電気光学装置の製造プロセス
が煩雑化することを抑制できる。
【００２６】
本発明に係る電気光学装置の他の態様では、前記スペーサ本体と、前記対向電極の下地
膜となるべく形成されたポジ型の感光性絶縁膜とは、相互に共通の材料で構成されていて
もよい。
【００２７】
この態様によれば、電気光学装置の製造プロセスの煩雑化、設計変更、及び材料コスト
の増大を極力抑制できる。
【００２８】
この態様では、前記スペーサ本体は、前記対向電極の下地膜となるべく形成されたポジ
型の感光性絶縁膜の一部が、前記表示領域の一部を構成する非開口領域において前記対向
基板から前記基板に向かって突出するように、前記対向電極の下地膜となるべく形成され
たポジ型の感光性絶縁膜をパターニングすることによって形成された部分であってもよい
。
【００２９】
この態様によれば、基板上で画素スイッチング用ＴＦＴ等の半導体素子、及び配線が形
成され、光が透過しない非開口領域にスペーサが形成されているため、スペーサによって
表示光が遮光されることがない。したがって、当該電気光学装置が画像を表示する表示性
能がスペーサによって低下することがない。加えて、スペーサ本体が、下地膜となるべく
形成された感光性絶縁膜の一部から構成されているため、電気光学装置の製造プロセスが
煩雑化することを抑制できる。
【００３０】
本発明に係る電子機器は上記課題を解決するために、上述した本発明の電気光学装置を
具備してなる。
【００３１】
本発明に係る電子機器によれば、上述した本発明に係る電気光学装置を具備してなるの
で、タッチキー機能を有し、且つ高品位の表示が可能な、携帯電話等の携帯端末装置、電
子手帳、ワードプロセッサ、ビューファインダ型又はモニタ直視型のビデオテープレコー
ダ、ワークステーション、テレビ電話、ＰＯＳ端末などの各種電子機器を実現できる。
【００３２】
本発明のこのような作用及び他の利得は次に説明する実施形態から明らかにされる。
【発明を実施するための最良の形態】
【００３３】
以下、図面を参照しながら、本発明に係る電気光学装置及び電子機器の各実施形態を説
明する。尚、本実施形態では、電気光学装置の一例として、タッチキー機能を有する直視
型の液晶装置を挙げる。このような液晶装置は、直視型の液晶ディスプレイ装置、或いは
携帯端末装置の表示部として使用可能である。
【００３４】
＜１：液晶装置＞
先ず、図１及び図２を参照しながら、本実施形態に係る液晶装置１の全体構成を説明す
る。図１は、ＴＦＴアレイ基板をその上に形成された各構成要素と共に対向基板の側から
見た液晶装置１の平面図であり、図２は、図１のＩＩ−ＩＩ´断面図である。本実施形態
に係る液晶装置１は、駆動回路内蔵型のＴＦＴアクティブマトリクス駆動方式で駆動され
る。加えて、液晶装置１は、後述する対向電極２１及び画素電極９ａ間に生じる静電容量
の変化に応じて各種情報を入力可能なタッチキー機能を有する、所謂タッチパネルである
。
【００３５】
図１及び図２において、液晶装置１では、本発明の「基板」の一例であるＴＦＴアレイ
基板１０及び対向基板２０が、相互に向かい合うように配置されている。ＴＦＴアレイ基
板１０と対向基板２０との間に、本発明の「電気光学層」の一例である液晶層５０が封入
されており、ＴＦＴアレイ基板１０及び対向基板２０は、複数の画素部が設けられる表示
領域たる画像表示領域１０ａの周囲に位置するシール領域に設けられたシール材５２によ
り相互に接着されている。
【００３６】
シール材５２は、両基板を貼り合わせるための、例えば紫外線硬化樹脂、熱硬化樹脂等
からなり、製造プロセスにおいてＴＦＴアレイ基板１０上に塗布された後、紫外線照射、
加熱等により硬化させられたものである。シール材５２中には、ＴＦＴアレイ基板１０と
対向基板２０との間隔（基板間ギャップ）を所定値とするためのグラスファイバ或いはガ
ラスビーズ等のギャップ材が散布されていてもよい。
【００３７】
シール材５２が配置されたシール領域の内側に並行して、画像表示領域１０ａの額縁領
域を規定する遮光性の額縁遮光膜５３が、対向基板２０側に設けられている。但し、この
ような額縁遮光膜５３の一部又は全部は、ＴＦＴアレイ基板１０側に内蔵遮光膜として設
けられてもよい。尚、画像表示領域１０ａの周辺に位置する周辺領域が存在する。言い換
えれば、本実施形態においては特に、ＴＦＴアレイ基板１０の中心から見て、この額縁遮
光膜５３より以遠が周辺領域として規定されている。
【００３８】
周辺領域のうち、シール材５２が配置されたシール領域の外側に位置する領域には、デ
ータ線駆動回路１０１及び外部回路接続端子１０２がＴＦＴアレイ基板１０の一辺に沿っ
て設けられている。走査線駆動回路１０４は、この一辺に隣接する２辺に沿い、且つ、額
縁遮光膜５３に覆われるようにして設けられている。更に、このように画像表示領域１０
ａの両側に設けられた二つの走査線駆動回路１０４間をつなぐため、ＴＦＴアレイ基板１
０の残る一辺に沿い、且つ、額縁遮光膜５３に覆われるようにして複数の配線１０５が設
けられている。
【００３９】
対向基板２０の４つのコーナー部には、両基板間の上下導通端子として機能する上下導
通材１０６が配置されている。他方、ＴＦＴアレイ基板１０にはこれらのコーナー部に対
向する領域において上下導通端子が設けられている。これらにより、ＴＦＴアレイ基板１
０と対向基板２０との間で電気的な導通をとることができる。対向電極２１は、固定電位
とされ、画素電極９ａと共にタッチキー構造を構成する。
【００４０】
図２において、ＴＦＴアレイ基板１０上には、画素スイッチング用のＴＦＴや走査線、
データ線等の配線が形成された後の画素電極９ａ上に、配向膜が形成されている。画素電
極９ａは、無機導電膜であるＩＴＯから構成されている。
【００４１】
他方、対向基板２０上には、対向電極２１の他、格子状又はストライプ状の遮光膜２３
、更には最上層部分に配向膜が形成されている。液晶層５０は、例えば一種又は数種類の
ネマティック液晶を混合した液晶からなり、これら一対の配向膜間で、所定の配向状態を
とる。
【００４２】
尚、図１及び図２に示したＴＦＴアレイ基板１０上には、データ線駆動回路１０１、及
び走査線駆動回路１０４等の駆動回路に加えて、画像信号線上の画像信号をサンプリング
してデータ線に供給するサンプリング回路、複数のデータ線に所定電圧レベルのプリチャ
ージ信号を画像信号に先行して各々供給するプリチャージ回路、製造途中や出荷時の当該
電気光学装置の品質、欠陥等を検査するための検査回路等を形成してもよい。
【００４３】
次に、図３乃至図５を参照しながら、液晶装置１の構成を詳細に説明する。図３は、液
晶装置１の画像表示領域１０ａを構成するマトリクス状に形成された複数の画素における
各種素子、配線等の等価回路であり、図４は、データ線、走査線、画素電極等が形成され
たＴＦＴアレイ基板上で相隣接する複数の画素部の平面図である。図５は、図４のＶ−Ｖ
´断面図である。尚、図５では、各層・各部材を図面上で認識可能な程度の大きさとする
ため、該各層・各部材ごとに縮尺を異ならしめてある。
【００４４】
図３において、液晶装置１の画像表示領域１０ａを構成するマトリクス状に形成された
複数の画素部の夫々は、画素電極９ａ及びＴＦＴ３０を有している。ＴＦＴ３０は、画素
電極９ａに電気的に接続されており、液晶装置１の動作時に画素電極９ａをスイッチング
制御する。画像信号が供給されるデータ線６ａは、ＴＦＴ３０のソースに電気的に接続さ
れている。データ線６ａに書き込む画像信号Ｓ１、Ｓ２、・・・、Ｓｎは、この順に線順
次に供給しても構わないし、相隣接する複数のデータ線６ａ同士に対して、グループ毎に
供給するようにしてもよい。
【００４５】
ＴＦＴ３０のゲートに走査線３ａが電気的に接続されており、液晶装置１は、所定のタ
イミングで、走査線３ａにパルス的に走査信号Ｇ１、Ｇ２、・・・、Ｇｍを、この順に線
順次で印加するように構成されている。画素電極９ａは、ＴＦＴ３０のドレインに電気的
に接続されており、スイッチング素子であるＴＦＴ３０を一定期間だけそのスイッチを閉
じることにより、データ線６ａから供給される画像信号Ｓ１、Ｓ２、・・・、Ｓｎが所定
のタイミングで書き込まれる。画素電極９ａを介して液晶に書き込まれた所定レベルの画
像信号Ｓ１、Ｓ２、・・・、Ｓｎは、対向基板２０に形成された対向電極２１との間で一
定期間保持される。
【００４６】
液晶層５０に含まれる液晶は、印加される電圧レベルにより分子集合の配向や秩序が変
化することにより、光を変調し、階調表示を可能とする。ノーマリーホワイトモードであ
れば、各画素の単位で印加された電圧に応じて入射光に対する透過率が減少し、ノーマリ
ーブラックモードであれば、各画素の単位で印加された電圧に応じて入射光に対する透過
率が増加され、全体として液晶装置１からは画像信号に応じたコントラストをもつ光が出
射される。蓄積容量７０は、画像信号がリークすることを防ぐために、画素電極９ａと対
向電極２１との間に形成される液晶容量と電気的に並列に接続されている。
【００４７】
次に、図４及び図５を参照して、画素部の具体的な構成を説明する。図４において、液
晶装置１のＴＦＴアレイ基板１０上には、Ｘ方向及びＹ方向に対してマトリクス状に複数
の透明な画素電極９ａ（点線部９ａ´により輪郭が示されている）が設けられており、画
素電極９ａの縦横の境界に各々沿ってデータ線６ａ及び走査線３ａが設けられている。液
晶装置１は、対向基板２０の両面のうち液晶層５０に臨まない表示面２０Ｓの側から指等
の入力手段によって対向基板２０が押圧されることによって、対向電極２１及び画素電極
９ａ間に生じる静電容量の変化を不図示の電流検出手段によって検出し、当該検出された
静電容量の変化に応じて各種情報を入力可能に構成されたタッチキー構造を有している。
【００４８】
半導体層１ａのうち図４中右上がりの斜線領域で示したチャネル領域１ａ´に対向する
ように走査線３ａが配置されている。このように、走査線３ａとデータ線６ａとが交差す
る個所の夫々には画素スイッチング用のＴＦＴ３０が設けられている。
【００４９】
データ線６ａは、その上面が平坦化された第２層間絶縁膜４２を下地として形成された
下地膜４２ａａ上に形成されており、コンタクトホール８１を介してＴＦＴ３０の高濃度
ソース領域に接続されている。データ線６ａ及びコンタクトホール８１内部は、例えば、
Ａｌ−Ｓｉ−Ｃｕ、Ａｌ−Ｃｕ等のＡｌ（アルミニウム）含有材料、又はＡｌ単体、若し
くはＡｌ層とＴｉＮ層等との多層膜からなる。データ線６ａは、ＴＦＴ３０を遮光する機
能を有している。
【００５０】
蓄積容量７０は、高濃度ドレイン領域１ｅ及び画素電極９ａに接続された画素電位側容
量電極としての下部容量電極７１と、固定電位側容量電極としての上部容量電極３００の
一部とが、誘電体膜７５を介して対向配置されることにより形成されている。
【００５１】
図４及び図５に示すように、上部容量電極３００は、例えば金属又は合金を含む上側遮
光膜（内蔵遮光膜）としてＴＦＴ３０の上側に設けられている。上部容量電極３００は、
固定電位側容量電極としても機能する。上部容量電極３００は、例えば、Ｔｉ（チタン）
、Ｃｒ（クロム）、Ｗ（タングステン）、Ｔａ（タンタル）、Ｍｏ（モリブデン）、Ｐｄ
（パラジウム）、Ａｌ（アルミニウム）等の金属のうちの少なくとも一つを含む、金属単
体、合金、金属シリサイド、ポリシリサイド、これらを積層したもの等からなる。上部容
量電極３００は、例えば導電性のポリシリコン膜等からなる第１膜と高融点金属を含む金
属シリサイド膜等からなる第２膜とが積層された多層構造を持っていてもよい。
【００５２】
下部容量電極７１は、例えば導電性のポリシリコン膜や、例えば、Ｔｉ、Ｃｒ、Ｗ、Ｔ
ａ、Ｍｏ、Ｐｄ、Ａｌ等の金属のうちの少なくとも一つを含む、金属単体、合金、金属シ
リサイド、ポリシリサイド、これらを積層したもの等からなり画素電位側容量電極として
機能する。下部容量電極７１は、画素電位側容量電極としての機能の他、上側遮光膜とし
ての上部容量電極３００とＴＦＴ３０との間に配置される、光吸収層或いは上側遮光膜の
他の例としての機能を持ち、更に、画素電極９ａとＴＦＴ３０の高濃度ドレイン領域１ｅ
とを中継接続する機能を持つ。但し、下部容量電極７１も、上部容量電極３００と同様に
、金属又は合金を含む単一層膜若しくは多層膜から構成されていてもよい。
【００５３】
容量電極としての下部容量電極７１と上部容量電極３００との間に配置される誘電体膜
７５は、例えばＨＴＯ（High Temperature Oxide）膜、ＬＴＯ（Low Temperature Oxide
）膜等の酸化シリコン膜、或いは窒化シリコン膜等から構成されている。
【００５４】
上部容量電極３００は、画素電極９ａが配置された画像表示領域１０ａからその周囲に
延設され、定電位源と電気的に接続されて、固定電位とされる。
【００５５】
ＴＦＴ３０の下側に下地絶縁膜１２を介して格子状に設けられた下側遮光膜１１ａは、
ＴＦＴアレイ基板１０側から装置内に入射する戻り光からＴＦＴ３０のチャネル領域１ａ
´及びその周辺を遮光する。下側遮光膜１１ａは、上部容量電極３００と同様に、例えば
、Ｔｉ、Ｃｒ、Ｗ、Ｔａ、Ｍｏ、Ｐｄ等の高融点金属のうちの少なくとも一つを含む、金
属単体、合金、金属シリサイド、ポリシリサイド、これらを積層したもの等からなる。
【００５６】
下地絶縁層１２は、下側遮光膜１１ａからＴＦＴ３０を層間絶縁する機能の他、ＴＦＴ
アレイ基板１０の全面に形成されることにより、ＴＦＴアレイ基板１０の表面の研磨時に
おける荒れや、洗浄後に残る汚れ等で画素スイッチング用ＴＦＴ３０の特性の劣化を防止
する機能を有する。画素電極９ａは、下部容量電極７１を中継することにより、コンタク
トホール８３及び８５を介して半導体層１ａのうち高濃度ドレイン領域１ｅに電気的に接
続されている。
【００５７】
図４及び図５に示すように、液晶装置１は、透明なＴＦＴアレイ基板１０と、これに対
向配置される透明な対向基板２０とを備えている。ＴＦＴアレイ基板１０は、例えば石英
基板、ガラス基板、シリコン基板からなり、対向基板２０は、例えばガラス基板や石英基
板からなる。
【００５８】
ＴＦＴアレイ基板１０には、画素電極９ａが設けられており、その上側には、ラビング
処理等の所定の配向処理が施された配向膜１６が設けられている。例えば、画素電極９ａ
はＩＴＯ（Indium Tin Oxide）膜等の透明な無機導電膜であり、配向膜１６は、ポリイミ
ド膜等の有機膜からなる。
【００５９】
液晶装置１は、ＴＦＴアレイ基板１０及び対向基板２０間の基板間ギャップを確保する
ためにＴＦＴアレイ基板１０及び対向基板２０間に形成されたスペーサ１５１を備えてい
る。
【００６０】
図５に示すように、スペーサ１５１は、スペーサ本体１５１ａと、スペーサ本体１５１
ａに積層された強度保持膜１５１ｂとから構成されており、液晶装置１が組み上げられた
状態で配向膜２２に接し、ＴＦＴアレイ基板１０及び対向基板２０間の基板間ギャップを
維持している。
【００６１】
スペーサ本体１５１ａは、ＴＦＴアレイ基板１０から対向基板２０に向かって突出した
突起部であり、画素電極９ａの下地である第３層間絶縁膜４３ａと同様に感光性アクリル
樹脂等の感光性材料から構成されている。より具体的には、スペーサ本体１５１ａは、デ
ータ線６ａまでが形成されたＴＦＴアレイ基板１０上に感光性アクリル樹脂を塗布した後
、当該感光性アクリル樹脂からなる樹脂層をフォトリソグラフィ技術を用いてパターニン
グすることによって第３層間絶縁膜４３ａを形成するのと並行して第３層間絶縁膜４３ａ
上に形成されている。
【００６２】
強度保持膜１５１ｂは、スペーサ本体１５１ａを覆うようにスペーサ本体１５１ａの表
面に形成されており、スペーサ本体１５１ａより機械的強度が高い無機導電膜であるＩＴ
Ｏ膜で構成されている。したがって、スペーサ１５１は、スペーサ１５１がスペーサ本体
１５１ａのみで構成されている場合に比べて、その機械的強度が高められている。
【００６３】
よって、液晶装置１によれば、例えば、液晶装置１が画像を表示する表示面２０Ｓを指
等の指示手段が押圧した場合、或いは温度変化によってＴＦＴアレイ基板１０及び対向基
板２０間に力が作用した場合でも、スペーサ１５１は、ＴＦＴアレイ基板１０及び対向基
板２０間の基板間ギャップを安定して維持することが可能である。
【００６４】
また、複数のスペーサ１５１は、一回の露光処理によってアスペクト比が互いに異なる
ように、言い換えれば高さが互いに異なるように形成されていてもよい。このようなスペ
ーサ１５１によれば、温度低下に伴って液晶装置１が収縮する場合に、相互に高さが異な
る複数のスペーサ１５１の夫々によって基板間ギャップを維持することができため、基板
間ギャップが確保されることになり、基板間ギャップが維持できなくなることによって生
じうる表示性能の低下を抑制でき、液晶装置１の表示性能を維持することが可能である。
【００６５】
加えて、スペーサ１５１によれば、タッチキー機能により対向基板２０の表示面２０Ｓ
が指等で押圧された場合でも、対向電極２１が画素電極９ａに接しないように、対向基板
２０及びＴＦＴアレイ基板１０間の基板間ギャップを確保することが可能である。よって
、スペーサ１５１によれば、対向基板２０が押圧された場合でも、対向電極２１及び画素
電極９ａがショートすることを防止できる。
【００６６】
したがって、液晶装置１によれば、画像の表示性能を維持しつつ、指等の入力手段を介
して表示面２０Ｓから入力される情報を正確に検知することが可能である。加えて、スペ
ーサ本体１５１ａのみによって構成されたスペーサに比べて機械的強度が高められたスペ
ーサ１５１によれば、タッチキー機能を損なうことなく、液晶装置１の強度を高めること
が可能である。
【００６７】
特に、本実施形態では、画像表示領域１０ａにおけるスペーサ１５１の個数の密度は、
画像表示領域１０ａにおいて均一である。したがって、複数のスペーサ１５１によれば、
液晶装置１全体で基板間ギャップのばらつきを低減できる。より具体的には、例えば、画
素部毎にスペーサ１５１を形成するのではなく、所定数の画素部（例えば、６画素部毎）
毎にスペーサ１５１を形成することによって、画像表示領域１０ａ全体で平均的に対向基
板２０をスペーサ１５１によって支持することが可能である。よって、スペーサ１５１に
よれば、ＴＦＴアレイ基板１０及び対向基板２０間の基板間ギャップのばらつきを低減で
き、且つ低温衝撃試験に対する表示性能の低下が抑制可能になり、基板間ギャップの変化
で生じる画質の低下を招くことなく、液晶装置１による高品位の画像表示が可能である。
【００６８】
尚、スペーサ本体１５１ａ及び強度保持膜１５１ｂが互いに積層されていればスペーサ
１５１の機械的強度が高められるため、強度保持膜１５１ｂは、スペーサ本体１５１ａか
ら見てＴＦＴアレイ基板１０側に形成されていてもよい。
【００６９】
加えて、本実施形態において、強度保持膜１５１ｂは、ＴＦＴアレイ基板１０上に形成
された多層構造の一部を構成する画素電極９ａと同層に、画素電極９ａと同じ無機材料で
あるＩＴＯを用いて画素電極９ａと並行して形成された無機導電膜である。このような強
度保持膜１５１ｂは、液晶装置１を製造する製造プロセスにおいて、ＴＦＴアレイ基板１
０上に形成される画素電極９ａと並行して形成可能である。したがって、液晶装置１の装
置構成によれば、液晶装置１を製造する製造プロセスを煩雑化させることなく強度保持膜
１５１ｂを形成できる。
【００７０】
尚、強度保持膜１５１ｂは、画素電極９ａと同じＩＴＯからなる無機導電膜として画素
電極９ａと同層に形成された膜に限定されるものではなく、ＴＦＴ等の半導体素子を有す
る液晶装置１等の半導体装置に形成された多層構造の一部である層間絶縁膜として用いら
れるＳｉＮ或いはＳｉＯ２等の無機絶縁膜と並行して形成された無機材料膜であってもよ
い。このような強度保持膜であっても、その機械的強度がスペーサ本体１５１ａより高け
れば、スペーサ１５１と同様の効果が得られる。
【００７１】
また、図４及び図５に示すように、スペーサ本体１５１ａは、画素電極９ａの下地膜と
なるべく形成されたポジ型の感光性絶縁膜の一部が、画像表示領域１０ａの一部を構成す
る非開口領域、即ち、データ線６ａ等の遮光部分が設けられた領域においてＴＦＴアレイ
基板１０から対向基板２０に向かって突出するように、上述の感光性絶縁膜をパターニン
グすることによって形成された部分である。よって、スペーサ１５１を構成する感光性材
料が不透明な材料であっても、液晶装置１が画像を表示する表示性能を低下させることが
ない。
【００７２】
加えて、スペーサ本体１５１ａが、画素電極９ａの下地膜である第３層間絶縁膜４３ａ
となるべく形成された感光性絶縁膜の一部から構成されているため、液晶装置１の製造プ
ロセスが煩雑化することを抑制できる。
【００７３】
対向基板２０には、その全面に渡って対向電極２１が設けられており、その下側には、
ラビング処理等の所定の配向処理が施された配向膜２２が設けられている。対向電極２１
は例えば、ＩＴＯ膜などの透明導電性膜からなる。配向膜２２は、ポリイミド膜などの有
機膜からなる。
【００７４】
対向基板２０には、格子状又はストライプ状の遮光膜を設けるようにしてもよい。この
ような構成を採ることで、上部容量電極３００として設けられた上側遮光膜と併せ、ＴＦ
Ｔアレイ基板１０側からの入射光のチャネル領域１ａ´ないしその周辺への侵入を阻止す
るのをより確実に阻止することができる。
【００７５】
このように構成され、画素電極９ａと対向電極２１とが対面するように配置されたＴＦ
Ｔアレイ基板１０と対向基板２０との間には、液晶層５０が形成される。液晶層５０は、
画素電極９ａからの電界が印加されていない状態で配向膜１６及び２２により所定の配向
状態をとる。
【００７６】
画素スイッチング用ＴＦＴ３０は、ＬＤＤ（Lightly Doped Drain）構造を有しており
、ゲート電極３ａ２、走査線３ａからの電界によりチャネルが形成される半導体層１ａの
チャネル領域１ａ´、走査線３ａと半導体層１ａとを絶縁するゲート絶縁膜を含む絶縁膜
２、低濃度ソース領域１ｂ及び低濃度ドレイン領域１ｃ、高濃度ソース領域１ｄ並びに高
濃度ドレイン領域１ｅを備えている。低濃度ソース領域１ｂ、低濃度ドレイン領域１ｃ、
高濃度ソース領域１ｄ及び高濃度ドレイン領域１ｅは、半導体層１ａの不純物領域を構成
しており、チャネル領域１ａ´の両側にミラー対称に形成されている。
【００７７】
ゲート電極３ａ２は、ポリシリコン膜等の導電膜や、例えば、Ｔｉ、Ｃｒ、Ｗ、Ｔａ、
Ｍｏ、Ｐｄ、Ａｌ等の金属のうちの少なくとも一つを含む、金属単体、合金、金属シリサ
イド、ポリシリサイド、これらを積層したもの等によって形成されており、低濃度ソース
領域１ｂ及び低濃度ドレイン領域１ｃに重ならないように絶縁膜２を介してチャネル領域
１ａ´上に設けられている。したがって、ＴＦＴ３０では、高濃度ソース領域１ｄ及び高
濃度ドレイン領域１ｅとゲート電極３ａ２とのオフセットが十分に確保されている。
【００７８】
尚、ゲート電極３ａ２の縁は、平面的に見て低濃度ソース領域１ｂ及び低濃度ドレイン
領域１ｃとチャネル領域１ａ´との境界に重なっており、低濃度ソース領域１ｂ及び低濃
度ドレイン領域１ｃと、ゲート電極３ａ２との間に生じる寄生容量が低減されている。こ
れにより、ＴＦＴ３０トランジスタの高速動作が可能となり、液晶装置１の表示性能が高
められている。
【００７９】
加えて、液晶装置１では、ゲート電極３ａ２上にＴＦＴ３０を覆うように形成された上
部容量電極３００によって、ゲート電極３ａ２のみによって遮光する場合に比べて効果的
に低濃度ソース領域１ｂ及び低濃度ドレイン領域１ｃを遮光できる。
【００８０】
このように、液晶装置１によれば、光リーク電流が低減されたＴＦＴ３０を用いて、フ
リッカ等の画像表示を行う際に発生する不具合を低減でき、高品位で画像を表示できる。
加えて、ＴＦＴ３０は、ＬＤＤ構造を有しているため、ＴＦＴ３０の非動作時において低
濃度ソース領域１ｂ及び低濃度ドレイン領域１ｃに流れるオフ電流が低減され、且つＴＦ
Ｔ３０の動作時に流れるオン電流の低下が抑制されている。よって、液晶装置１によれば
、ＬＤＤ構造の利点及び光リーク電流が殆ど流れないことを利用して高品位で画像を表示
できる。
【００８１】
下側遮光膜１１ａ上には、高濃度ソース領域１ｄへ通じるコンタクトホール８１及び高
濃度ドレイン領域１ｅへ通じるコンタクトホール８３が各々開孔された第１層間絶縁膜４
１が形成されている。
【００８２】
第１層間絶縁膜４１上には下部容量電極７１及び上部容量電極３００が形成されており
、これらの上には、コンタクトホール８１及び８５が各々開孔された第２層間絶縁膜４２
が形成されている。
【００８３】
本実施形態における第２層間絶縁膜４２は、例えばＢＰＳＧ膜からなり、加熱による流
動化状態を経ることによって上面が平坦化されている。即ち、その成膜時の上面には、下
層側の蓄積容量７０やＴＦＴ３０、走査線３ａ、更には下地遮光膜１１ａの存在によって
段差が生じているが、一旦流動化されることで、上面は段差による凹凸が均された状態と
なっている。尚、第２層間絶縁膜４２は、感光性のアクリル樹脂などを用いて、段差が形
成されていてもよい。
【００８４】
更に、データ線６ａの上から第２層間絶縁膜４２の全面を覆うように、コンタクトホー
ル８５が形成された第３層間絶縁膜４３ａは、ポジ型の感光性アクリル樹脂等の感光性材
料を用いて形成されている。第３層間絶縁膜４３ａは、スペーサ１５１と同種の感光性材
料で構成されており、当該感光性材料を用いて上部容量電極３００上に形成された層状の
絶縁膜がフォトリソグラフィ法を用いてパターニングされることによって形成されている
。
【００８５】
以上説明したように、液晶装置１によれば、スペーサ１５１の機械的強度が高められて
いるため、基板間ギャップを維持でき、タッチキー機能を損なうことなく、且つ表示性能
を維持できる。
【００８６】
以下、図６乃至図１０を参照しながら、スペーサ１５１の変形例を詳細に説明する。尚
、以下では、液晶装置１の共通する部分に共通の部分に参照符号を付し、当該共通の部分
の詳細な説明を省略する。また、図６乃至図１０は、本実施形態に係る液晶装置の各変形
例の構成を示した断面図であり、図５に示した断面構造に対応している。また、各変形例
に係る液晶装置が有するスペーサの平面的な配置状態は、液晶装置１が備えるスペーサ１
５１と同様であるため、以下では、その断面構造を中心に説明する。
【００８７】
（変形例１）
図６に示すように、本例に係る液晶装置は、ＴＦＴアレイ基板１０から対向基板２０に
向かって突出した突起部であるスペーサ本体１５２ａと、強度保持膜１５２ｂとからなる
スペーサ１５２を備えている。
【００８８】
スペーサ本体１５２ａは、第３層間絶縁膜４３ａと同様に感光性アクリル樹脂等の感光
性材料から構成されている。
【００８９】
強度保持膜１５２ｂは、スペーサ本体１５２ａの下層側に形成された画素電極９ａと同
層に形成されている。強度保持膜１５２ｂは、画素電極９ａと並行してＩＴＯ等の透明な
無機導電膜である。
【００９０】
したがって、スペーサ１５２は、スペーサ本体１５２ａのみからスペーサが構成されて
いる場合に比べて、機械的強度が高められている。したがって、スペーサ１５２によれば
、上述のスペーサ１５１と同様に、基板間ギャップを維持でき、タッチキー機能を損なう
ことなく、且つ表示性能を維持できる。加えて、液晶装置の製造プロセスを煩雑化させる
こともない。
【００９１】
（変形例２）
図７に示すように、本例に係る液晶装置は、ＴＦＴアレイ基板１０から対向基板２０に
向かって突出した突起部であるスペーサ本体１５３ａと、強度保持膜１５３ｂとからなる
スペーサ１５３を備えている。
【００９２】
スペーサ本体１５３ａは、第３層間絶縁膜４３ａと同様に感光性アクリル樹脂等の感光
性材料から構成されている。
【００９３】
強度保持膜１５３ｂは、スペーサ本体１５３ａを覆うようにスペーサ本体１５３ａ上に
ＳｉＯ或いはＳｉＯ２等の無機材料を斜めに蒸着させることによって形成されている。強
度保持膜１５３ｂは、ＳｉＯ或いはＳｉＯ２等の無機材料からなる無機配向膜１６ａの一
部であり、スペーサ本体１５３ａより機械的強度が高い膜である。
【００９４】
スペーサ１５３によれば、その機械的強度がスペーサ本体１５３ａのみでスペーサ１５
３が構成されている場合に比べて高められている。よって、スペーサ１５１同様に、基板
ギャップを維持することが可能である。加えて、配向膜１６ａを形成する工程と並行して
強度保持膜１５３ｂを形成可能であるため、液晶装置の製造プロセスが煩雑化することを
抑制しつつ、液晶装置における基板間ギャップを維持できタッチキー機能を損なうことな
く、且つ表示性能を維持できる。
【００９５】
（変形例３）
図８に示すように、本例に係る液晶装置は、対向基板２０からＴＦＴアレイ基板１０に
向かって突出した突起部であるスペーサ本体１５４ａと、強度保持膜１５４ｂとからなる
スペーサ１５４を備えている。
【００９６】
スペーサ本体１５４ａは、対向基板２０の多層構造の一部を構成する絶縁膜２５と並行
して形成されている。より具体的には、スペーサ本体１５４ａは、感光性アクリル樹脂等
の感光材料が対向基板２０に塗布されてなる塗布膜をフォトリソグラフィ技術を用いてパ
ターニングして得られる部分であり、絶縁膜２５と並行して形成されている。
【００９７】
強度保持膜１５４ｂは、対向電極２１と同層に形成されたＩＴＯ膜からなる透明な無機
導電層であり、対向電極２１と並行して形成され、且つスペーサ本体１５４ａより機械的
強度が高い膜である。
【００９８】
したがって、スペーサ１５４によれば、上述のスペーサ１５１と同様に、スペーサの機
械的強度がスペーサ本体１５４ａのみでスペーサ１５４が構成されている場合に比べて高
められており、基板ギャップを維持することが可能である。加えて、ＩＴＯ等の無機導電
材料からなる対向電極２１と並行して形成可能であるため、液晶装置の製造プロセスが煩
雑化することを抑制しつつ、液晶装置における基板間ギャップを維持でき、タッチキー機
能を損なうことなく、且つ表示性能を維持可能である。
【００９９】
加えて、スペーサ１５４は、ＴＦＴアレイ基板１０上の画像表示領域１０ａにおける非
開口領域に形成されているため、当該液晶装置の表示性能を低下させることもない。
【０１００】
（変形例４）
図９に示すように、本例に係る液晶装置は、対向基板２０からＴＦＴアレイ基板１０に
向かって突出した突起部であるスペーサ本体１５５ａと、強度保持膜１５５ｂとからなる
スペーサ１５５を備えている。
【０１０１】
スペーサ本体１５５ａは、絶縁膜２５と同種の材料を用いて形成されている。強度保持
膜１５５ｂは、スペーサ本体１５５ａから見て対向基板２０側において、対向電極２１と
同層に形成されている。加えて、強度保持膜１５５ｂは、対向電極２１と並行して形成さ
れ、且つ対向電極２１を構成するＩＴＯと同じＩＴＯ膜である。したがって、強度保持膜
１５５ｂの機械的強度は、スペーサ本体１５５ａの機械的強度より高い。
【０１０２】
よって、スペーサ１５５によれば、その機械的強度がスペーサ本体１５５ａのみでスペ
ーサ１５５が構成されている場合に比べて高められており、スペーサ１５４と同様に、基
板ギャップを維持することが可能である。加えて、対向電極２１を形成する工程と並行し
て強度保持膜１５５ｂを形成可能であるため、液晶装置の製造プロセスが煩雑化すること
を抑制しつつ、液晶装置における基板間ギャップを維持できタッチキー機能を損なうこと
なく、且つ表示性能を維持できる。
【０１０３】
尚、本例では、強度保持膜１５５ｂが対向電極２１と並行して形成された場合を例に挙
げたが、対向基板２０に形成された多層構造の一部を構成するＳｉＯ、又はＳｉＯ２等の
無機材料膜であって、スペーサ本体１５５ａより機械的強度が高い材料を用いて強度保持
膜１５５ｂが形成されていれば、スペーサ１５５の機械的強度を高めることが可能であり
、基板間ギャップの維持しつつ、製造プロセスの煩雑化を抑制可能である。
【０１０４】
（変形例５）
図１０に示すように、本例に係る液晶装置は、対向基板２０から対向基板１０に向かっ
て突出した突起部であるスペーサ本体１５６ａと、強度保持膜１５６ｂとからなるスペー
サ１５６を備えている。
【０１０５】
スペーサ本体１５６ａは、絶縁膜２５と同様に感光性アクリル樹脂等の感光性材料から
構成されている。
【０１０６】
強度保持膜１５６ｂは、スペーサ本体１５６ａを覆うようにＳｉＯ或いはＳｉＯ２等の
無機材料をスペーサ本体１５６ａ上に蒸着させることによって形成されている。強度保持
膜１５６ｂは、ＳｉＯ或いはＳｉＯ２等の無機材料からなる無機配向膜１６ａの一部であ
り、スペーサ本体１５６ａより機械的強度が高い膜である。
【０１０７】
したがって、スペーサ１５６によれば、その機械的強度がスペーサ本体１５６ａのみで
スペーサ１５６が構成されている場合に比べて高められている。よって、スペーサ１５４
同様に、基板ギャップを維持することが可能である。加えて、配向膜２２ａを形成する工
程と並行して強度保持膜１５６ｂを形成可能であるため、液晶装置の製造プロセスが煩雑
化することを抑制しつつ、液晶装置における基板間ギャップを維持できタッチキー機能を
損なうことなく、且つ表示性能を維持できる。
【０１０８】
尚、本実施形態に係る液晶装置によれば、画素電極９ａ及び対向電極２１の下地膜を形
成した後に、当該下地膜として感光性を有する第３層間絶縁膜４３ａ又は絶縁膜２５上に
これら絶縁膜と同一の材料を用いて感光性下地膜を形成し、当該感光性下地膜をパターニ
ングすることによって、スペーサ１５１等を形成することも可能である。下地膜及びスペ
ーサの夫々を共通の材料を用いて形成可能であるため、下地膜を形成する工程から、スペ
ーサを形成する工程へ工程を切り換える際に生じる手間が省くことが可能である。
【０１０９】
＜２：電子機器＞
次に、上述した液晶装置を具備してなる電子機器の実施形態を説明する。
【０１１０】
図１１は、上述した液晶装置が適用されたモバイル型のパーソナルコンピュータの斜視
図である。図１１において、コンピュータ１２００は、キーボード１２０２を備えた本体
部１２０４と、上述した液晶装置を含んでなる液晶表示ユニット１２０６とから構成され
ている。液晶表示ユニット１２０６は、液晶パネル１００５の背面にバックライトを付加
することにより構成されており、タッチパネル機能を有し、且つ高い信頼性を有している
。
【０１１１】
次に、上述した液晶装置を携帯電話に適用した例について説明する。図１２は、本実施
形態の電子機器の一例である携帯電話の斜視図である。図１２において、携帯電話１３０
０は、複数の操作ボタン１３０２とともに、反射型の表示形式を採用し、且つ上述した液
晶装置と同様のスペーサが配置された液晶装置１００５を備えている。液晶装置１００５
にあっては、必要に応じてその前面にフロントライトが設けられる。携帯電話１３００に
よれば、液晶装置が指等の入力手段の動きに応じた各種情報を入力可能であると共に、高
品位の画像表示が可能である。
【図面の簡単な説明】
【０１１２】
【図１】本実施形態に係る液晶装置を対向基板の側から見た平面図である。
【図２】図１のＩＩ−ＩＩ´断面図である。
【図３】本実施形態に係る液晶装置の表示領域を構成するマトリクス状に形成された複数の画素における各種素子、配線等の等価回路である。
【図４】本実施形態に係る液晶装置におけるデータ線、走査線、画素電極等が形成されたＴＦＴアレイ基板の相隣接する複数の画素群の平面図である。
【図５】図４のＶ−Ｖ´断面図である。
【図６】本実施形態に係る液晶装置の変形例（その１）の断面図である。
【図７】本実施形態に係る液晶装置の変形例（その２）の断面図である。
【図８】本実施形態に係る液晶装置の変形例（その３）の断面図である。
【図９】本実施形態に係る液晶装置の変形例（その４）の断面図である。
【図１０】本実施形態に係る液晶装置の変形例（その５）の断面図である。
【図１１】本実施形態に係る電子機器の一例であるコンピュータの斜視図である。
【図１２】本実施形態に係る電子機器の一例である携帯電話の斜視図である。
【符号の説明】
【０１１３】
１・・・液晶装置、１０・・・ＴＦＴアレイ基板、２０・・・対向基板、４３ａ・・・
第３層間絶縁膜、１５１，１５２，１５３，１５４，１５５，１５６・・・スペーサ
【図１】
2010032848.tif 000003
【図２】
2010032848.tif 000004
【図３】
2010032848.tif 000005
【図４】
2010032848.tif 000006
【図５】
2010032848.tif 000007
【図６】
2010032848.tif 000008
【図７】
2010032848.tif 000009
【図８】
2010032848.tif 000010
【図９】
2010032848.tif 000011
【図１０】
2010032848.tif 000012
【図１１】
2010032848.tif 000013
【図１２】
2010032848.tif 000014